(57)【要約】      （修正有）【課題】準静的スケジューリング周期におけるサービスリソースの競合を避ける。【解決手段】サービス伝送方法は、端末デバイスが、第１時間領域の送信位置において、第１サービスにおける第１データが第２サービスにおけるデータとリソース競合が発生することを確定することと、調整オフセットを確定することと、調整オフセットに基づいて、第１スケジューリング周期を調整し、第２スケジューリング周期を得ることと、第２スケジューリング周期に従って、第２時間領域の送信位置を確定し、第２時間領域の送信位置において、第１サービスにおける第１データを送信することと、を含む。さらに、第３スケジューリング周期を確定することと、第３スケジューリング周期に従って、第１サービスにおける第２データを送信することと、第２データを送信した後に、第１スケジューリング周期に従って、第１サービスにおける第３データを送信することと、を含む。【選択図】図６
2020162163.tif 000002
【特許請求の範囲】
【請求項１】
サービス伝送方法であって、
端末デバイスは第１時間領域の送信位置において、第１サービスにおける第１データが第２サービスにおけるデータとリソース競合が発生することを確定することと、
前記端末デバイスは調整オフセットを確定することであって、前記調整オフセットが、前記端末デバイスにおける前記第１サービスの第１スケジューリング周期を調整するために用いられることと、
前記調整オフセットに基づいて、前記端末デバイスは前記第１スケジューリング周期を調整し、第２スケジューリング周期を得ることと、
前記第２スケジューリング周期に従って、前記端末デバイスは第２時間領域の送信位置を確定し、前記第２時間領域の送信位置において、前記第１サービスにおける前記第１データを送信することと、
を含み、
前記方法は、
第３スケジューリング周期を確定することと、
前記第３スケジューリング周期に従って、前記第１サービスにおける第２データを送信することと、
前記第２データを送信した後に、前記第１スケジューリング周期に従って、前記第１サービスにおける第３データを送信することと、
をさらに含む、ここで、前記第１スケジューリング周期と前記第３スケジューリング周期との差分値が、前記第２スケジューリング周期と前記第１スケジューリング周期との差分値と等しく、前記第２データが前記第１データの後の初回の送信されるデータであり、前記第３データが、前記第２データの後に送信されたデータである、
ことを特徴とする前記サービス伝送方法。
【請求項２】
前記端末デバイスが調整オフセットを確定することは、
前記端末デバイスは、前記第１サービスの前記第１サービスと前記第２サービスとの間における優先順位に基づいて、前記調整オフセットを確定することを含む、
ことを特徴とする請求項１に記載のサービス伝送方法。
【請求項３】
前記端末デバイスは、ネットワークデバイスにより送信された第１設定情報を受信することをさらに含み、前記第１設定情報が、前記調整オフセットの値、及び／又は、前記調整オフセットが前記第１サービスに適用することを指示するために用いられる、
ことを特徴とする請求項１又は２に記載のサービス伝送方法。
【請求項４】
前記端末デバイスはネットワークデバイスにより送信された第２設定情報を受信することをさらに含み、ここで、前記第２設定情報が、前記第１サービスと第２サービスとの優先順位、及び／又は、前記調整オフセットの値を指示するために用いられる、
ことを特徴とする請求項１又は２に記載のサービス伝送方法。
【請求項５】
前記端末デバイスが調整オフセットを確定する前に、
前記端末デバイスはネットワークデバイスにより送信された起動メッセージを受信することをさらに含み、前記起動メッセージが、前記端末デバイスが前記第１スケジューリング周期を調整するように起動させるために用いられる、
ことを特徴とする請求項１〜４のいずれか１項に記載のサービス伝送方法。
【請求項６】
端末デバイスは調整オフセットを確定する前に、
第１時間時間周波数リソースを利用して、前記第２スケジューリング周期によって前記第１サービスにおけるデータを送信するように、前記端末デバイスは、前記第２スケジューリング周期によって前記第１サービスにおけるデータを送信する第１時間周波数リソースを確定することをさらに含み、
ここで、前記第１時間周波数リソースが、前記第２スケジューリング周期によって、前記第１サービスにおけるデータを送信する周波数領域リソースと、前記第２スケジューリング周期に対応するサブフレームにおける時間領域リソースである、
ことを特徴とする請求項１〜５のいずれか１項に記載のサービス伝送方法。
【請求項７】
前記端末デバイスが、前記第２スケジューリング周期によって前記第１サービスにおけるデータを送信する第１時間周波数リソースを確定することは、
前記端末デバイスは、ネットワークデバイスにより送信された、物理ダウンリンク制御チャネルで指示された時間周波数リソースを、前記第１時間周波数リソースとして確定すること、又は、
前記端末デバイスは、リソースプールから前記第１時間周波数リソースを選択すること、又は、
前記端末デバイスの第２時間周波数リソースを前記第１時間周波数リソースとして確定すること、
を含み、ここで、前記第２時間周波数リソースが、前記第１スケジューリング周期によって前記第１サービスにおけるデータを送信する周波数領域リソースと、前記第１スケジューリング周期に対応するサブフレームにおける時間領域リソースである、
ことを特徴とする請求項６に記載のサービス伝送方法。
【請求項８】
前記端末デバイスは、前記第１サービスにおけるデータの受信側に指示情報を送信することをさらに含み、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御（ＭＡＣ）制御ユニット（ＣＥ）にベアラされ、又は、
前記指示情報が、システムブロードキャストメッセージにベアラされる、
ことを特徴とする請求項１〜７のいずれか１項に記載のサービス伝送方法。
【請求項９】
端末デバイスであって、
調整オフセットを確定するように構成される確定ユニットと、
前記調整オフセットに基づいて、第１スケジューリング周期に対して調整を行い、第２スケジューリング周期を得るように構成される調整ユニットと、
前記第２スケジューリング周期に従って、第１サービスにおけるデータを送信するよう
に構成される送信ユニットと、
を含み、前記調整オフセットが、前記端末デバイスにおける前記第１サービスの前記第１スケジューリング周期を調整するために用いられ、
前記確定ユニットはさらに、調整オフセットを確定する前に、第１時間領域の送信位置において、前記第１サービスにおける第１データが第２サービスにおけるデータとリソース競合が発生することを確定するように構成され、
前記送信ユニットはさらに、前記第２スケジューリング周期に基づいて、第２時間領域の送信位置を確定し、前記第２時間領域の送信位置において、前記第１データを送信するように構成され、
前記確定ユニットはさらに、第３スケジューリング周期を確定するように構成され、前記第１スケジューリング周期と前記第３スケジューリング周期との差分値が、前記第２スケジューリング周期と前記第１スケジューリング周期との差分値と等しく、
前記送信ユニットはさらに、前記第３スケジューリング周期に従って、前記第１サービスにおける第２データを送信するように構成され、前記第２データが前記第１データの後の初回の送信されるデータであり、
前記送信ユニットはさらに、前記第２データを送信した後に、前記第１スケジューリング周期に従って、前記第１サービスにおける第３データを送信するように構成され、前記第３データが、前記第２データの後の送信されるデータである、
ことを特徴とする前記端末デバイス。
【発明の詳細な説明】
【技術分野】
【０００１】
本発明は、通信分野に関し、特にサービス伝送方法及び通信デバイスに関する。
【背景技術】
【０００２】
通信技術の発展と伴い、例えば、動的スケジューリング、静的スケジューリング、及び準静的スケジューリング等のような様々なスケジューリング方式を提供することがすでに出来ている。
【０００３】
ここで、準静的スケジューリングは、準持続スケジューリングとも称することが可能であり、即ち、一定の周期にて、ユーザにリソースを割り当て、それによって、該周期におけるリソースの割り当てのすべては、スケジューリングシグナリングの指示が必要されなくなる。動的スケジューリングと比べて、このようなスケジューリング方式は、柔軟性が少し悪いが、シグナリングを制御するオーバーヘッドが低く、突発的な特徴の激しくない、リード保障の要求があるサービス、例えば、ネットワーク音声（ＶｏＩＰ：Ｖｏｉｃｅ
ｏｖｅｒ  Ｉｎｔｅｒｎｅｔ  Ｐｒｏｔｏｃｏｌ）サービス、又はロング・ターム・エボリューション音声（ＶｏＬＴＥ：Ｖｏｉｃｅ  ｏｖｅｒ  Ｌｏｎｇ  Ｔｅｒｍ  Ｅｖｏｌｕｔｉｏｎ）サービス等に適している。
【０００４】
準静的スケジューリング周期が広く適用されることに伴い、準静的スケジューリング周期におけるサービス競合のような様々の問題が発生する可能性がある。
【０００５】
如何に準静的スケジューリング周期におけるサービス競合問題を解決するのは、早急な解決の待たれる問題である。
【発明の概要】
【０００６】
本発明の実施例は、サービス伝送方法及び装置を提供し、サービスリソースの競合を避けることが出来る。
【０００７】
第１の態様において、サービス伝送方法を提供し、
端末デバイスは調整オフセットを確定することと、
前記調整オフセットに基づいて、前記端末デバイスは前記第１スケジューリング周期を調整し、第２スケジューリング周期を得ることと、
前記第２スケジューリング周期に従って、前記端末デバイスは前記第１サービスにおけるデータを送信することと、
を含み、前記調整オフセットが、前記端末デバイスにおける第１サービスの第１スケジューリング周期を調整するために用いられる。
【０００８】
第１の態様を結合し、第１の態様の第１の可能な実施形態において、前記端末デバイスが調整オフセットを確定する前に、前記方法は、
第１時間領域の送信位置において、前記第１サービスにおける第１データが第２サービスにおけるデータとリソース競合が発生することを確定することをさらにを含み、
前記第２スケジューリング周期に従って、前記端末デバイスが前記第１サービスにおけるデータを送信することは、
前記第２スケジューリング周期に基づいて、第２時間領域の送信位置を確定することと、
前記第２時間領域の送信位置において、前記第１データを送信することと、
を含む。
【０００９】
第１の態様の第１の可能な実施形態を結合し、第１の態様の第２の可能な実施形態において、前記端末デバイスが調整オフセットを確定することは、
前記端末デバイスは、前記第１サービスの前記第１サービスと前記第２サービスとの間における優先順位に基づいて、前記調整オフセットを確定すること、
を含む。
【００１０】
第１の態様の第１又は第２の可能な実施形態を結合し、第１の態様の第３の可能な実施形態において、前記方法は、
第３スケジューリング周期を確定することと、
前記第３スケジューリング周期に従って、前記第１サービスにおける第２データを送信することと、
をさらに含み、ここで、前記第１スケジューリング周期と前記第３スケジューリング周期との差分値が、前記第２スケジューリング周期と前記第１スケジューリング周期との差分値と等しく、前記第２データが前記第１データの後の初回の送信されるデータである。
【００１１】
第１の態様の第３の可能な実施形態を結合し、第１の態様の第４の可能な実施形態において、前記方法は、
前記第２データを送信した後に、前記第１スケジューリング周期を従って、前記第１サービスにおける第３データを送信することと、
を含み、ここで、前記第３データが、前記第２データの後に送信されたデータである。
【００１２】
第１の態様又は上記のいずれか一つの可能な実施形態において、第１の態様の第５の可能な実施形態において、前記方法は、
前記端末デバイスは、ネットワークデバイスにより送信された第１設定情報を受信することをさらに含み、前記第１設定情報が、前記調整オフセットの値、及び／又は、前記調整オフセットが前記第１サービスに適用することを指示するために用いられる。
【００１３】
第１の態様又は上記のいずれか一つの可能な実施形態を結合し、第１の態様の第６の可能な実施形態において、前記方法は、
前記端末デバイスはネットワークデバイスにより送信された第２設定情報を受信することをさらに含み、ここで、前記第２設定情報が、前記第１サービスと第２サービスとの優先順位、及び／又は、前記調整オフセットの値を指示するために用いられる。
【００１４】
第１の態様又は上記のいずれか一つの可能な実施形態を結合し、第１の態様の第７の可能な実施形態において、前記端末デバイスが調整オフセットを確定する前に、前記方法は、
前記端末デバイスはネットワークデバイスにより送信された起動メッセージを受信することをさらに含み、前記起動メッセージが、前記端末デバイスが前記第１スケジューリング周期を調整するように起動させるために用いられる。
【００１５】
第１の態様又は上記のいずれか一つの可能な実施形態を結合し、第１の態様の第８の可能な実施形態において、端末デバイスは調整オフセットを確定する前に、前記方法は、
第１時間周波数リソースを利用して、前記第２スケジューリング周期によって前記第１サービスにおけるデータを送信するように、前記端末デバイスは、前記第２スケジューリング周期によって前記第１サービスにおけるデータを送信する第１時間周波数リソースを確定することをさらに含み、ここで、前記第１時間周波数リソースが、前記第２スケジューリング周期によって、前記第１サービスにおけるデータを送信する周波数領域リソースと前記第２スケジューリング周期に対応するサブフレームにおける時間領域リソースである。
【００１６】
第１の態様又は上記のいずれか一つの可能な実施形態において、第１の態様の第７の可能な実施形態において、前記端末デバイスが、前記第２スケジューリング周期によって前記第１サービスにおけるデータを送信する第１時間周波数リソースを確定することは、
前記端末デバイスは、ネットワークデバイスにより送信された、物理ダウンリンク制御チャネルで指示された時間周波数リソースを、前記第１時間周波数リソースとして確定すること、又は
前記端末デバイスは、リソースプールから前記第１時間周波数リソースを選択すること、又は
第２時間周波数リソースを前記第１時間周波数リソースとして確定すること、
を含み、ここで、前記第２時間周波数リソースが、前記第１スケジューリング周期によって前記第１サービスにおけるデータを送信する周波数領域リソースと、前記第１スケジューリング周期に対応するサブフレームにおける時間領域リソースである。
【００１７】
第１の態様又は上記のいずれか一つの可能な実施形態を結合し、第１の態様の第７の可能な実施形態において、前記方法は、
前記端末デバイスは、前記第１サービスにおけるデータの受信側に指示情報を送信することをさらに含み、前記指示情報は、前記調整オフセットの値を示すために用いられ、ここで、
前記指示情報が、物理層制御チャネルにベアラされ、又は
前記指示情報が、物理層チャネルにおけるリザーブビットにベアラされ、又は
前記指示情報が、特定の媒体アクセス制御（ＭＡＣ）制御ユニットにベアラされ、又は
前記指示情報が、システムブロードキャストメッセージにベアラされる。
【００１８】
第２の態様において、サービス伝送方法を提供し、
端末デバイスは調整オフセットを確定することと、
前記端末デバイスは、前記調整オフセットに基づいて、第１時間領域の開始位置に対して調整を行い、第２時間領域の開始位置を得ることと、
前記端末デバイスは、前記第２時間領域の開始位置において、前記スケジューリング周期に従って、前記サービスデータを送信することと、
を含み、ここで、前記第１時間領域の開始位置が、スケジューリング周期を利用してサービスデータを送信する予め設定された時間領域の開始位置であることを特徴とする。
【００１９】
第２の態様を結合し、第２の態様の第１の可能な実施形態において、前記端末デバイスは調整オフセットを確定することは、
値の範囲内から前記調整オフセットを確定すること、を含み、ここで、前記値の範囲に複数の値が含まれる。
【００２０】
第２の態様又はそれの第１の可能な実施形態を結合し、第２の態様の第２の可能な実施形態において、前記方法は、
前記端末デバイスは、前記サービスデータの受信側に指示情報を送信すること、をさらに含み、前記指示情報は、前記調整オフセットの値を示すために用いられ、ここで、
前記指示情報が、物理層制御チャネルにベアラされ、又は
前記指示情報が、物理層チャネルにおけるリザーブビットにベアラされ、又は
前記指示情報が、特定の媒体アクセス制御制御ユニットにベアラされ、又は
前記指示情報が、システムブロードキャストメッセージにベアラされる。
【００２１】
第３の態様において、サービス伝送方法を提供し、
調整オフセットを確定することと、
前記調整オフセットに基づいて、前記第１スケジューリング周期に対して調整を行い、第２スケジューリング周期を得ることと、
前記第２スケジューリング周期に従って、前記端末デバイスより送信された前記第１サービスにおけるデータを受信することと、
を含み、前記調整オフセットが、前記端末デバイスにおける第１サービスの第１スケジューリング周期を調整するために用いられることを特徴とする。
【００２２】
第３の態様を結合し、それの第１の可能な実施形態において、調整オフセットを確定する前に、方法は、
前記端末デバイスより送信された指示情報を受信することをさらに含み、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御制御ユニットにベアラされ、又は、
前記指示情報が、システムブロードキャストメッセージにベアラされる。
【００２３】
前記調整オフセットを確定することは、前記指示情報に基づいて、前記調整オフセットを確定することを含む。
【００２４】
第４の態様において、サービス伝送方法を提供し、
調整オフセットを確定することと、
前記調整オフセットに基づいて、第１時間領域の開始位置に対して調整を行い、第２時間領域の開始位置を得ることと、
前記第２時間領域の開始位置において、前記スケジューリング周期に従って、前記端末デバイスより送信された前記サービスデータを受信することと、
を含み、ここで、前記第１時間領域の開始位置が、スケジューリング周期を利用して端末デバイスより送信されたサービスデータを受信する予め設定された時間領域の開始位置である。
【００２５】
第４の態様を結合し、第４の態様の第１の可能な実施形態において、調整オフセットを確定する前に、方法は、
前記端末デバイスより送信された指示情報を受信することをさらに含み、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御制御ユニットにベアラされ、又は、
前記指示情報が、システムブロードキャストメッセージにベアラされる。
【００２６】
前記調整オフセットを確定することは、前記指示情報に基づいて、前記調整オフセットを確定することを含む。
【００２７】
本発明の実施例において、調整オフセットを確定することによって、該調整オフセットに基づいて、スケジューリング周期の周期の長さ、又はスケジューリング周期の時間領域の開始位置に対して調整を行い、サービスのリソース競合を避けることが出来る。
【００２８】
第５の態様において、端末デバイスを提供し、上記の第１の態様又は第１の態様の任意の可能な実施形態内の方法を実施するために構成される。具体的に、該端末デバイスは、上記の第１の態様又は第１の態様の任意の可能な実施形態内の方法を実施するためのユニットを含む。
【００２９】
第６の態様において、端末デバイスを提供し、上記の第２の態様又は第２の態様の任意の可能な実施形態内の方法を実施するように構成される。具体的に、該端末デバイスは、上記の第２の態様又は第２の態様の任意の可能な実施形態内の方法を実施するためのユニットを含む。
【００３０】
第７の態様において、通信デバイスを提供し、上記の第３の態様又は第３の態様の任意の可能な実施形態内の方法を実施するように構成される。具体的に、該通信デバイスは、上記の第３の態様又は第３の態様の任意の可能な実施形態内の方法を実施するためのユニットを含む。
【００３１】
第８の態様において、通信デバイスを提供し、上記の第４の態様又は第４の態様の任意の可能な実施形態内の方法を実施するように構成される。具体的に、該通信デバイスは、上記の第４の態様又は第４の態様の任意の可能な実施形態内の方法を実施するためのユニットを含む。
【００３２】
第９の態様において、端末デバイスを提供し、記憶装置とプロセッサとを含み、該記憶装置は命令を記憶するように構成され、該プロセッサは該記憶装置に記憶されている命令を実行するように構成され、該プロセッサが該記憶装置に記憶されている命令を実施する場合、該実行によって、該プロセッサが第１の態様又は第１の態様の任意の可能な実施形態内の方法を実施することになる。
【００３３】
第１０態様において、端末デバイスを提供し、記憶装置とプロセッサとを含み、該記憶装置は命令を記憶するように構成され、該プロセッサは該記憶装置に記憶されている命令を実行するように構成され、該プロセッサが該記憶装置に記憶されている命令を実施する場合、該実行によって、該プロセッサが第２の態様又は第２の態様の任意の可能な実施形態内の方法を実施することになる。
【００３４】
第１１態様において、通信デバイスを提供し、記憶装置とプロセッサとを含み、該記憶装置は命令を記憶するように構成され、該プロセッサは該記憶装置に記憶されている命令を実行するように構成され、該プロセッサが該記憶装置に記憶されている命令を実施する場合、該実行によって、該プロセッサが第３の態様又は第３の態様の任意の可能な実施形態内の方法を実施することになる。
【００３５】
第１２態様において、通信デバイスを提供し、記憶装置とプロセッサとを含み、該記憶装置は命令を記憶するように構成され、該プロセッサは該記憶装置に記憶されている命令を実行するように構成され、該プロセッサが該記憶装置に記憶されている命令を実施する場合、該実行によって、該プロセッサが第４の態様又は第４の態様の任意の可能な実施形態内の方法を実施することになる。
【００３６】
第１３態様において、コンピュータ記憶媒体を提供し、該コンピュータ記憶媒体にプログラムコードが記憶されており、該プログラムコードが、上記の第１の態様又は第１の態様の任意の可能な実施形態内の方法を実行するように指示するために用いられる。
【００３７】
第１４態様において、コンピュータ記憶媒体を提供し、該コンピュータ記憶媒体にプログラムコードが記憶されており、該プログラムコードが、上記の第２の態様又は第２の態様の任意の可能な実施形態内の方法を実行するように指示するために用いられる。
【００３８】
第１５態様において、コンピュータ記憶媒体を提供し、該コンピュータ記憶媒体にプログラムコードが記憶されており、該プログラムコードが、上記の第３の態様又は第３の態様の任意の可能な実施形態内の方法を実行するように指示するために用いられる。
【００３９】
第１６態様において、コンピュータ記憶媒体を提供し、該コンピュータ記憶媒体にプログラムコードが記憶されており、該プログラムコードが、上記の第４の態様又は第４の態様の任意の可能な実施形態内の方法を実行するように指示するために用いられる。
【００４０】
本発明の実施例において、調整オフセットを確定することによって、調整オフセットによるスケジューリング周期の長さと、該スケジューリング周期を利用する時間領域の開始位置とに対する調整によって、サービスのリソース競合を避けることが出来る。
【図面の簡単な説明】
【００４１】
【図１】本発明の実施例による通信適用の場面図である。
【図２】本発明の実施例によるサービス伝送方法の概略フローチャートである。
【図３】本発明の実施例によって適用される場面図である。
【図４】本発明の実施例におけるサービス伝送方法を図３に示されている場面に適用する概略図である。
【図５】本発明の実施例によって適用される場面図である。
【図６】本発明の実施例によるサービス伝送方法の概略フローチャートである。
【図７】本発明の実施例によるサービス伝送方法の概略フローチャートである。
【図８】本発明の実施例におけるサービス伝送方法を図５に示されている場面に適用する概略図である。
【図９】本発明の実施例によるサービス伝送方法の概略フローチャートである。
【図１０】本発明の実施例による端末デバイスの概略ブロック図である。
【図１１】本発明の実施例による端末デバイスの概略ブロック図である。
【図１２】本発明の実施例による通信デバイスの概略ブロック図である。
【図１３】本発明の実施例による通信デバイスの概略ブロック図である。
【図１４】本発明の実施例による端末デバイスの概略ブロック図である。
【図１５】本発明の実施例による端末デバイスの概略ブロック図である。
【図１６】本発明の実施例による通信デバイスの概略ブロック図である。
【図１７】本発明の実施例による通信デバイスの概略ブロック図である。
【発明を実施するための形態】
【００４２】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００４３】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は創造的な労力を払っていない前提で得られたすべてのその他の実施例は、本発明の範囲内である。
【００４４】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。
コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００４５】
本発明の実施例の技術案は、現行のセルラー通信システム、例えば、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）などのシステムに適用することが可能であり、サポートする通信は、主に音声とデータに関する通信に関わっている。通常、一つの従来の基地局は、サポートする接続数が限られており、実現しやすい。
【００４６】
次世代移動通信システムは、従来の通信をサポートするのみならず、ＭＴＣ（Ｍａｃｈｉｎｅ  Ｔｙｐｅ  Ｃｏｍｍｕｎｉｃａｔｉｏｎ）通信も称されるＭ２Ｍ（Ｍａｃｈｉｎｅ  ｔｏ  Ｍａｃｈｉｎｅ）通信もサポートする。予測によると、２０２０年になる時に、ネットワークに接続されるＭＴＣデバイスは５００〜１０００億に達することができ、現在の接続数を遥かに超える。Ｍ２Ｍのようなサービスでは、そのサービス種類が様々であるため、ネットワークへの要求が大きく相違している。おおよそ、下記のような要求が考えられる。
【００４７】
信頼性のある伝送で、遅延に鈍感である。
【００４８】
遅延が低下で、高信頼的の伝送である。
【００４９】
信頼性のある伝送で、遅延に鈍感であるサービスについては、処理しやすいが、遅延が低下で、高信頼的の伝送であるサービスについては、伝送遅延が短く要求するだけではなく、信頼性も要求され、例えば、Ｖ２Ｖ（Ｖｅｈｉｃｌｅ  ｔｏ  Ｖｅｈｉｃｌｅ）サービス又はＶ２Ｘ（Ｖｅｈｉｃｌｅ  ｔｏ  Ｅｖｅｒｙｔｈｉｎｇ）サービスである。伝送の信頼性がない場合、二重伝送を引き起こすことによって伝送遅延が大きい過ぎ、ニーズを満たすことができない。
【００５０】
大量の接続があるため、将来の無線通信システムが現行の通信システムと大きく差異する。大量の接続がより多くの、端末デバイスのアクセスのためのリソースが必要とされ、端末デバイスにおけるデータ伝送に関するスケジューリングシグナリングの伝送のためのリソースの消耗もより多く必要とされる。本発明の実施例による技術案は上記のリソース消耗の課題を有効に解決することができる。
【００５１】
本発明において、端末デバイスとネットワークデバイスを結合して各実施例を説明する。
【００５２】
端末デバイスは、ユーザ装置（ＵＥ、Ｕｓｅｒ  Ｅｑｕｉｐｍｅｎｔ）、アクセス端末、ユーザユニット、ユーザステーション、移動ステーション、移動局、遠隔局、遠隔端末、移動デバイス、ユーザ端末、端末、無線通信デバイス、ユーザエージェント又はユーザ装置なども称することが可能である。端末デバイスは、無線ローカルネットワーク（ＷＬＡＮ：Ｗｉｒｅｌｅｓｓ  Ｌｏｃａｌ  Ａｒｅａ  Ｎｅｔｗｏｒｋｓ）内のステーション（ＳＴ：ＳＴＡＩＯＮ）であっても良く、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型ＰＬＭＮネットワークにおける端末デバイスなどであっても良い。
【００５３】
ネットワークデバイスは、端末デバイスと通信を行うためのデバイスであり、ネットワークデバイスは、無線ローカルネットワーク（ＷＬＡＮ：Ｗｉｒｅｌｅｓｓ  Ｌｏｃａｌ
Ａｒｅａ  Ｎｅｔｗｏｒｋｓ）におけるアクセスポイント（ＡＰ：ＡＣＣＥＳＳ  ＰＯＩＮＴ）、ＧＳＭ又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮＢ：ＮｏｄｅＢ）であっても良く、さらにロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）、又は中継局又はアクセスポイント、又は車載デバイス、ウェアラブルデバイス、および将来の５Ｇネットワークにおけるネットワークデバイス、又は将来の進化型ＰＬＭＮネットワークにおけるネットワークデバイスなどであっても良い。
【００５４】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００５５】
図１は、本発明を使用して情報を伝送する通信システムの概略図である。図１に示すように、該通信システム１００は、ネットワークデバイス１０２を含み、ネットワークデバイス１０２は、複数のアンテナ、例えば、アンテナ１０４、１０６、１０８、１１０、１１２、及ぶ１１４を含み得る。また、ネットワークデバイス１０２は、送信機チェーンと受信機チェーンを付加的に含むことができ、当業者は、それらのいずれも信号の送信と受信と関係する複数の部材（例えばプロセッサ、変調器、マルチプレクサ、復調器、デマルチプレクサ又はアンテナなど）を含み得ることを理解することができる。
【００５６】
ネットワークデバイス１０２は、複数個の端末デバイス（例えば、端末デバイス１１６と端末デバイス１２２）と通信することができる。さらに、ネットワークデバイス１０２が端末デバイス１１６又は１２２に類似する任意数の端末デバイスと通信することができると理解することができる。端末デバイス１１６と１２２は、例えばセルラー電話、スマートフォン、携帯パソコン、携帯通信デバイス、携帯計算デバイス、衛星無線装置、グローバルマッピングシステム、ＰＤＡ、及び／又は、無線通信システム１００において通信するための任意のその他の適切なデバイスであっても良い。
【００５７】
図１に示すように、端末デバイス１１６がアンテナ１１２と１１４と通信を行い、ここでアンテナ１１２と１１４とは、順方向リンク１１８を介して端末デバイス１１６に情報を送信し、逆方向リンク１２０を介して端末デバイス１１６から情報を受信する。また、端末デバイス１２２はアンテナ１０４及び１０６と通信し、ここでアンテナ１０４と１０６は順方向リンク１２４を介して端末デバイス１２２に情報を送信し、逆方向リンク１２６を介して端末デバイス１２２から情報を受信する。
【００５８】
例えば、周波数分割複信（ＦＤＤ、Ｆｒｅｑｕｅｎｃｙ  Ｄｉｖｉｓｉｏｎ  Ｄｕｐｌｅｘ）システムにおいて、例えば、順方向リンク１１８が、逆方向リンク１２０で使用されているのと異なる帯域を利用することができ、順方向リンク１２４が、逆方向リンク１２６で使用されているのと異なる帯域を利用することができる。
【００５９】
さらに例を挙げると、時分割複信（ＴＤＤ、Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することができ、順方向リンク１２４と逆方向リンク１２６とは共通の帯域を使用することができる。
【００６０】
通信に用いられるように設計される各アンテナ（又は複数のアンテナグループより構成されるアンテナグループ）、及び／又は、領域は、ネットワークデバイス１０２のセクタと称される。例えば、アンテナグループをネットワークデバイス１０２のカバレッジ領域のセクタ内の端末デバイスと通信するように設計することが可能である。ネットワークデバイス１０２が順方向リンク１１８と１２４を介して端末デバイス１１６と１２２とにそれぞれ通信を行う過程において、ネットワークデバイス１０２の送信アンテナは、ビームフォーミングを利用して順方向リンク１１８と１２４の信号対雑音比を改善することが可能である。また、ネットワークデバイスが単独のアンテナでそれのすべての端末デバイスに信号を送信する方式と比べて、ネットワークデバイス１０２がビームフォーミングを利用して、相関するカバレッジ領域内のランダム的に分散されている端末デバイス１１６と１２２とに信号を送信する時に、隣接セル内の移動デバイスは比較的に少ない干渉を受ける。
【００６１】
所定の時間において、ネットワークデバイス１０２、端末デバイス１１６又は端末デバイス１２２は、無線通信送信装置、及び／又は、無線通信受信装置であっても良い。データを送信する時に、無線通信送信装置は、データを符号化して伝送を行う。具体的に、無線通信送信装置は、チャネルを介して無線通信受信装置に送信しようとする一定の数のデータビットを取得（例えば、生成、その他の通信装置から受信、又は記憶装置に記憶するなど）することができる。このようなデータビットは、データの伝送ブロック（又は複数の伝送ブロック）内に含まれても良く、伝送ブロックが分割されて複数のコードブロックが生成されても良い。
【００６２】
なお、該通信システム１００は、公衆携帯電話網（ＰＬＭＮ：Ｐｕｂｌｉｃ  Ｌａｎｄ
Ｍｏｂｉｌｅ  Ｎｅｔｗｏｒｋ）又はＤ２Ｄネットワーク又はＭ２Ｍネットワーク又はＶ２Ｖネットワーク又はＶ２Ｘネットワーク又はその他のネットワークであっても良く、図１は単なる例示的な概略図であり、ネットワークにその他のネットワークデバイスも含まれても良く、図１に図示していない。
【００６３】
図２は、本発明の実施例によるサービス伝送方法２００の概略フローチャートである。
図２に示すように、該方法２００は２１０〜２３０を含むことができる。
【００６４】
２１０において、端末デバイスは調整オフセットを確定し、該調整オフセットは、端末デバイスにおける第１サービスの第１スケジューリング周期に対して調整を行うために用いられ、ここで、第２スケジューリング周期の周期の長さは、第１スケジューリング周期の周期の長さと異なる。
【００６５】
２２０において、該調整オフセットに基づいて、該端末デバイスは該第１スケジューリング周期に対して調整を行い、第２スケジューリング周期を得る。
【００６６】
２３０において、該第２スケジューリング周期に従って、該端末デバイスは該第１サービスにおけるデータを送信する。
【００６７】
本発明の実施例において、端末デバイスの相手側は、ネットワークデバイスであっても良く、そのたの端末デバイスであっても良い。
【００６８】
本発明の実施例において、データの受信側において、スケジューリング周期は送信周期とも称され、隣接の二つのデータパケットを送信する時間間隔と意味をする。「スケジューリング周期Ａに従ってデータパケットＡを送信する」を説明するとした場合、データパケットＡと一個前のデータパケットとの間の伝送時間間隔がスケジューリング周期Ａに対応する伝送時間間隔と意味する。
【００６９】
本発明の実施例におけるスケジューリング周期は準持続スケジューリング周期又は準静的スケジューリング周期と称されても良い。
【００７０】
選択肢として、本発明の実施例において、ネットワークデバイスは端末デバイスの各サービスの初期のスケジューリング周期、即ち、第１スケジューリング周期を予め設定することができる。ネットワークデバイスは、スケジューリング周期の調整オフセットの値を端末デバイスにさらに設定しても良く、ここで、調整オフセットの値は一つの値であっても良く、一つの範囲であっても良く（オフセットウィンドウでも呼ばれる）、一つの範囲である場合、端末デバイスは該値の範囲内から調整オフセットをランタイム的に選択することができる。
【００７１】
選択肢として、本発明の実施例において、調整オフセットの値は、タイムスロットを単位としても良く、サブフレームを単位としても良い。
【００７２】
選択肢として、本発明の実施例において、端末デバイスがあるスケジューリング周期によってサービスにおけるデータを送信する前に、使用する時間周波数リソースをまず確定しておくことができ、前記時間周波数リソースは、前記サービスを送信するための対応する周波数領域リソースと前記サービスのスケジューリング周期に対応するサブフレームにおける時間領域リソースを指示するために用いられる。例えば、端末デバイスは、搬送波１とタイムスロット１とによってサービスにおけるデータを送信することを確定し、現在スケジューリング周期に対応する時間領域間隔が５個のサブフレームである場合、搬送波１を介して第１個のサブフレームのタイムスロット１において該サービスにおけるデータを送信することが可能であり、その後、搬送波１を介して第６個のサブフレームのタイムスロット６で該サービスにおけるデータを送信し、その順序で続く。
【００７３】
選択肢として、本発明の実施例において、端末デバイスは、ネットワークデバイスが物理層制御チャネルによって指示された時間周波数リソースを、上記の端末デバイスが対応するスケジューリング周期によってサービスデータを送信するのに使用される時間周波数リソースとして確定することができる。又は、端末デバイスは、リソースプールから上記の時間周波数リソースを選択して、対応するスケジューリング周期によってサービスデータを送信するのに使用する時間周波数リソースとする。又は、端末デバイスは、一個前のスケジューリング周期に使用する時間領域リソースを継続して使用して現在のスケジューリング周期に使用する時間領域リソースとすることができる。
【００７４】
選択肢として、本発明の実施例において、ネットワークデバイスは、端末デバイスの現在使用するスケジューリング周期に対する調整を起動せずに、調整オフセットの値を端末デバイスをまず設定することができる。スケジューリング周期に対して調整を行う必要がある時に、起動メッセージを送信し、該起動メッセージが、端末デバイスが現在のスケジューリング周期に対して調整を行うように指示するために用いられ、別の一つのスケジューリング周期を得、調整後のスケジューリング周期に従ってサービスデータを送信する。
選択肢として、本発明の実施例において、該起動メッセージは、上記に説明した調整後のスケジューリング周期を利用してサービスデータの伝送を行う時間周波数リソースをさらに指示することができる。
【００７５】
選択肢として、上記の起動メッセージは物理層シグナリング又は媒体アクセス制御（ＭＡＣ：Ｍｅｄｉａ  Ａｃｃｅｓｓ  Ｃｏｎｔｒｏｌ）シグナリングであっても良い。そのため、本発明の実施例において、ネットワークデバイスは、物理層シグナリング又はＭＡＣ層シグナリングによって、必要に応じて端末デバイスがスケジューリング周期に対する調整を高速的にトリガーすることができ、例えば、ネットワークデバイスが複数の端末デバイスのサービスデータがリソース競合が発生することを確定した場合、すべての又は一部の端末デバイスが現在のスケジューリング周期に対する調整をトリガーする。そのため、本発明の実施例は、必要に応じて対応する設定を高速にトリガーすることができ、サービスの伝送品質を保証する。
【００７６】
選択肢として、ネットワークデバイスは、制御シグナリング、例えば、無線リソース制御（ＲＲＣ：Ｒａｄｉｏ  Ｒｅｓｏｕｒｃｅ  Ｃｏｎｔｒｏｌ）シグナリング又はＭＡＣシグナリングによって、各設定パラメータ（例えば、上記の時間領域リソース、スケジューリング周期、調整オフセットの値、リソースプールなど）を端末デバイスに送信することができ、その他の事前に取り決まった方式で、設定パラメータを端末デバイスに予め設定する。
【００７７】
選択肢として、本発明の実施例において、設定情報は、システムブロードキャストメッセージ又は専用メッセージにベアラされる。
【００７８】
選択肢として、本発明の実施例において、端末デバイスが第１時間領域の送信位置において、第１サービスにおける第１データが第２サービスにおけるデータとリソース競合が発生することを確定し、端末デバイスは調整オフセットを確定することができ、該調整オフセットに基づいて、第１スケジューリング周期に対して調整を行い、第２スケジューリング周期を得る。該第２スケジューリング周期に基づいて、端末デバイス第２時間領域の送信位置を確定する。該第２時間領域の送信位置において、該第１データを送信する。この場合、該端末デバイスのデータ送信の対象側は端末デバイスであっても良く、ネットワークデバイスであっても良い。
【００７９】
例えば、図２に示すように、ある端末デバイスのサービス１とサービス２は、それぞれのスケジューリング周期（サービス１がスケジューリング周期Ｔ１、サービス２がスケジューリング周期Ｔ２に対応する）に従ってデータを送信する。サービス１のデータ５とサービス２のデータ３はリソース競合が発生する場合、例えば、図３に示すように、該端末デバイスは、サービス１のスケジューリング周期Ｔ１に対して調整を行うことができ、端末デバイスは調整オフセット１をまず確定しても良く、調整オフセット１に従って、スケジューリング周期Ｔ１をスケジューリング周期Ｔ３に調整し、スケジューリング周期Ｔ３に従ってサービス１のデータ５を送信する。
【００８０】
選択肢として、本発明の実施例において、端末デバイスは、リソース競合が発生するサービスの優先順位、即ち、サービス伝送データの退避順序に従って、各サービスのスケジューリング周期の調整オフセットを確定することができる。ここで、ネットワークデバイスによって、各サービスの優先順位と調整オフセットの値を端末デバイスに設定することができる。
【００８１】
例えば、図３に示すように、サービス１の優先順位がサービス２の優先順位より低い場合、サービス２は元のスケジューリング周期に従ってデータの伝送を行うことができ、サービス１に対しては、スケジューリングオフセット１に対応する時間を退避することができる。
【００８２】
選択肢として、本発明の実施例において、ネットワークデバイスは、各サービスに対応する調整オフセットを端末デバイスに直接に設定しても良く、サービスがリソース競合が発生した時に、端末デバイスによって、ネットワークデバイスに設定された調整オフセットに従って各サービスのスケジューリング周期に対して調整行うことができる。
【００８３】
本発明の実施例に言及されたリソース競合とリソース衝突は、データを送信するために同じリソースを利用することによって、受信側が同じリソースを利用して送信されたデータパケットを取得することができないことを意味する。リソースは時間周波数リソースであっても良く、又は時間周波数コードドメインリソースであっても良く、又は時間周波数コード空間ドメインリソースであっても良く、データパケットを送信するリソースの次元を参照する。
【００８４】
選択肢として、本発明の実施例において、第２スケジューリング周期に従って、第１サービスにおける第１データを送信した後に、第３スケジューリング周期を確定することができる、該第３スケジューリング周期に従って、該第１サービスにおける第２データを送信し、ここで、該第１スケジューリング周期と該第３スケジューリング周期との差分値が、該第２スケジューリング周期と該第１スケジューリング周期との差分値と等しく、該第２データは、該第１データの後の初回の送信されるデータである。
【００８５】
例えば、図３に示すように、スケジューリング周期Ｔ３に従ってサービス１におけるデータ５を送信した後に、周期Ｔ４をスケジューリングすることができ、ここで、スケジューリング周期Ｔ１とスケジューリング周期Ｔ３との差分値が、スケジューリング周期Ｔ４とスケジューリング周期Ｔ３との差分値と等しくしても良く、調整後のスケジューリング周期に従ってサービス１におけるデータ６を送信する。
【００８６】
選択肢として、本発明の実施例において、第１サービスにおける該第２データを送信した後に、該第１スケジューリング周期に従って、該第１サービスにおける第３データを送信し、ここで、該第３データが該第２データの後の送信されたデータである。
【００８７】
例えば、図３に示すように、スケジューリング周期Ｔ４に従ってサービス１におけるデータ６を送信した後に、スケジューリング周期Ｔ１に従ってデータ６の後のデータ、例えば、データ７、データ８、及びデータ９などを送信することができる。
【００８８】
選択肢として、端末デバイスは、設定された調整オフセットの値の範囲内において、調整オフセットを確定することができる。ここで、異なる端末デバイスは、同じの値の範囲を設定することができ、各端末デバイスは、該値の範囲内において調整オフセットをランダムに選択することができ得る。このような場合では、ネットワークデバイスは、端末デバイスに起動メッセージを送信し、該起動メッセージは、端末デバイスが現在のスケジューリング周期に対して調整を行うように起動させるように用いられ、そして、端末デバイスは設定された値の範囲内から、調整オフセットを選択することできる。この時、端末デバイスのデータ受信側は、ネットワークデバイスであっても良く、別の端末デバイスであっても良い。
【００８９】
又は、ネットワークデバイスは、一つの値のみの調整オフセットを設定したも良く、ネットワークデバイスは該値に基づいてスケジューリング周期に対して調整を行う。具体的に、ネットワークデバイスにより送信された起動メッセージを受信した後に、スケジューリング周期に対して調整を行う。
【００９０】
例えば、システムのカバレッジ範囲外、又はシステムが制御シグナリングを介して対応するリソースを指示することができない場合、各端末の同じサービスにおける周期はリソース競合が続けて発生する可能性があり、例えば、図５に示すように、端末デバイス１と端末デバイス２とのスケジューリング周期に衝突が続けて発生する。端末デバイスは、単に予め設定された初期のスケジューリング周期に従ってサービスの伝送を行わずに、調整オフセットの値の範囲内から調整オフセットをランダムに選択して現在のスケジューリング周期に対して調整を行うことができる。
【００９１】
選択肢として、本発明の実施例において、端末デバイスは指示情報を送信することができ、該指示情報は、端末デバイスが選択した調整オフセットの値を示すために用いられる。ここで、該指示情報は、下記の方式で送信することができる。
【００９２】
該指示情報が、物理層制御チャネルにベアラされ、例えば、該指示情報は、物理層制御情報、例えば、ＬＴＥ  Ｄ２Ｄ伝送中のスケジューリング指示（ＳＡ：Ｓｃｈｅｄｕｌｉｎｇ  Ａｓｓｉｇｎｍｅｎｔ）であっても良く、又は、
該指示情報が、物理層チャネルにおけるリザーブビットにベアラされ、例えば、送信されるデータ又は制御シグナリングの後ろにｎビット情報をリザーブし、可能な２＾ｎ個の調整オフセットの値を指示し、又は、
該指示情報が特定のＭＡＣ制御ユニット（Ｃｏｎｔｒｏｌ  Ｅｌｅｍｅｎｔ、ＣＥ）にベアラされ、又は、
該指示情報が、システムブロードキャストメッセージにベアラされる。
【００９３】
以上において、図１〜図５におけるサービスデータの送信側を例として本発明の実施例によるサービス伝送方法１００を説明しており、以下において、図６のサービスデータの受信側を例として、本発明の実施例におけるサービス伝送方法を説明する。
【００９４】
図６は本発明の実施例によるサービス伝送方法３００の概略フローチャートである。図６に示すように、該方法３００は、３１０〜３３０を含む。
【００９５】
３１０において、調整オフセットを確定し、該調整オフセットは、該端末デバイスにおける第１サービスの第１スケジューリング周期に対して調整を行う。
【００９６】
３２０において、該調整オフセットに基づいて、該第１スケジューリング周期に対して調整を行い、第２スケジューリング周期を得る。
【００９７】
３３０において、該第２スケジューリング周期に従って、該端末デバイスより送信された該第１サービスにおけるデータを受信する。
【００９８】
なお、方法３００における実施主体（即ち、受信側）は端末デバイスであっても良く、ネットワークデバイス（例えば、基地局）であっても良い。
【００９９】
本発明の実施例におけるスケジューリング周期は、準持続スケジューリング周期、又は準静的スケジューリング周期とも称される。
【０１００】
データ受信側において、スケジューリング周期は、受信周期と称しても良く、隣接の二つのデータパケットを受信する時間間隔である。
【０１０１】
選択肢として、本発明の実施例において、受信側は、送信側より送信された指示情報を受信することができ、指示情報を読み取ることによって、調整オフセットを確定し、該指示情報は、送信側で使用する調整オフセットを指示するために用いられる。
【０１０２】
ここで、該指示情報は、物理層制御チャネルにベアラされ、例えば、該指示情報は、ＬＴＥ  Ｄ２Ｄ伝送中のスケジューリング指示であっても良く、又は、
該指示情報が、物理層チャネルにおけるリザーブビットにベアラされ、例えば、送信されるデータの後ろにｎビット情報をリザーブし、可能な２＾ｎ個の調整オフセットの値を指示し、又は、
該指示情報が特定のＭＡＣ  ＣＥにベアラされ、又は、
該指示情報が、システムブロードキャストメッセージにベアラされ、受信側は、システムブロードキャストメッセージで設定された情報ユニット（Ｉｎｆｏｒｍａｔｉｏｎ、Ｅｌｅｍｅｎｔ）によって調整オフセットを確定することができる。
【０１０３】
選択肢として、本発明の実施例において、受信側は、調整オフセット、及び対応するスケジューリング周期を確定せず、送信側に対応するリソースプール内のすべてのリソースを検測して送信側より送信されたデータを受信することができ、ここで、送信側に対応するリソースプールは、送信側が該リソースプールからリソースを選択してサービスにおけるデータを送信するためである。つまり、端末デバイスは、すべてのデータの送信位置を検測して、送信側からのデータを取得することができる。
【０１０４】
なお、本発明の実施例において、サービスデータの受信側が端末デバイスであり、ここで、該端末デバイスに対するスケジューリング周期の設定、リソースプールの設定、スケジューリング周期を利用してデータを受信するのに使用する時間領域リソースの設定などは、サービスデータの送信側に関する説明を参照することができる。簡潔上、ここでそれ以上説明しない。
【０１０５】
そのため、本発明の実施例において、端末デバイスは調整オフセットを確定し、該調整オフセットによってスケジューリング周期に対して調整を行い、別のスケジューリング周期を得、そして新たに得られたスケジューリング周期に従ってサービスデータの伝送を行い、異なるサービスにおけるリソース競合の問題を避けることできる。
【０１０６】
図７は本発明の実施例によるサービス伝送方法４００の概略フローチャートである。
【０１０７】
４１０において、調整オフセットを確定する。
【０１０８】
４２０において、該調整オフセットに基づいて、第１時間領域の開始位置に対して調整を行い、第２時間領域の開始位置を得、ここで、該第１時間領域の開始位置が、スケジューリング周期を利用してサービスデータを送信する予め設定された時間領域の開始位置である。
【０１０９】
４３０において、該第２時間領域の開始位置において、該スケジューリング周期に従って、該サービスデータを送信する。
【０１１０】
本発明の実施例において、該方法４００は、端末デバイスによって実施されても良く、サービスデータの受信側は、端末デバイスであっても良く、ネットワークデバイスであっても良い。
【０１１１】
選択肢として、ネットワークデバイスは、端末デバイスに対してあるスケジューリング周期に従ってサービスデータを送信する時間領域の開始位置を予め設定し、該端末デバイスが該時間領域の開始位置において、該スケジューリング周期でサービスデータの伝送を行うように指示することができ、しかし、図５示すような異なる端末デバイスにおいて連続のリソース競合の問題が発生し得るため、端末デバイスがサービスデータを送信する前に調整オフセットを確定し、該調整オフセットに基づいて、予め設定された時間領域の開始位置に対して調整を行い、もう一つの時間領域の開始位置を得、改めて時間領域の開始位置を確定し、該スケジューリング周期でサービスデータを送信することができる。
【０１１２】
例えば、図８に示すように、端末デバイス１と端末デバイス２のそれぞれは、同じスケジューリング周期Ｔ１と時間領域の開始位置ｔ１を有し、そのためリソースの衝突が発生し得り、端末デバイス１が調整オフセットを確定することができ、調整オフセットに基づいて時間領域の開始位置に対して調整を行い、例えば、時間領域の開始位置をｔ１からｔ２に調整し、それによってリソースの衝突の問題を避けることができる。
【０１１３】
本発明の実施例において、ネットワークデバイスにより、どの端末デバイスが時間領域の開始位置に対して調整を行う必要があるかを設定することができ、例えば、端末デバイス１が時間領域の開始位置に対して調整を行うように設定し、それに対して端末デバイス２が時間領域の開始位置に対して調整を行わないように設定する。
【０１１４】
選択肢として、端末デバイスは、設定された調整オフセットの値の範囲内において、調整オフセットを確定することできる。ここで、異なる端末デバイスは、同じ値の範囲を設定しても良く、各端末デバイスは該値の範囲内において調整オフセットランダムに選択することができる。
【０１１５】
又は、ネットワークデバイスは、一つの値のみの調整オフセットを設定しても良く、端末デバイスは該値に基づいて時間領域の開始位置に対して調整を行う。
【０１１６】
選択肢として、本発明の実施例において、調整オフセットの値は、タイムスロットを単位としても良く、サブフレームを単位として良い。
【０１１７】
選択肢として、本発明の実施例において、端末デバイスは、あるスケジューリング周期によってサービスにおけるデータを送信する前に、使用する時間周波数リソースをまず確定しておくことができ、前記時間周波数リソースは、前記サービスを送信するための対応する周波数領域リソースと前記サービスのスケジューリング周期に対応するサブフレームにおける時間領域リソースを指示するために用いられる。例えば、端末デバイスは、搬送波１とタイムスロット１とによってサービスにおけるデータを送信することを確定し、現在スケジューリング周期に対応する時間領域間隔が５個のサブフレームである場合、搬送波１を介して第１個のサブフレームのタイムスロット１において該サービスにおけるデータを送信することが可能であり、その後、搬送波１を介して第６個のサブフレームのタイムスロット６で該サービスにおけるデータを送信し、その順序で続く。
【０１１８】
選択肢として、本発明の実施例において、端末デバイスは、ネットワークデバイスが物理層制御チャネルによって指示された時間周波数リソースを、上記の端末デバイスが対応するスケジューリング周期によってサービスデータを送信するのに使用される時間周波数リソースとして確定することができる。又は、端末デバイスは、リソースプールから上記の時間周波数リソースを選択して、対応するスケジューリング周期によってサービスデータを送信するのに使用する時間周波数リソースとする。
【０１１９】
選択肢として、本発明の実施例において、端末デバイスは指示情報を送信することができ、該指示情報は、端末デバイスが選択した調整オフセットの値を示すために用いられる。ここで、該指示情報は、下記の方式で送信することができる。
【０１２０】
該指示情報が、物理層制御チャネルにベアラされ、例えば、該指示情報は、物理層制御情報、例えば、ＬＴＥ  Ｄ２Ｄ伝送中のスケジューリング指示（ＳＡ：Ｓｃｈｅｄｕｌｉｎｇ  Ａｓｓｉｇｎｍｅｎｔ）であっても良く、又は、
該指示情報が、物理層チャネルにおけるリザーブビットにベアラされ、例えば、送信されるデータ又は制御シグナリングの後ろにｎビット情報をリザーブし、可能な２＾ｎ個の調整オフセットの値を指示し、又は、
該指示情報が特定のＭＡＣ制御ユニット（Ｃｏｎｔｒｏｌ  Ｅｌｅｍｅｎｔ、ＣＥ）にベアラされ、又は、
該指示情報が、システムブロードキャストメッセージにベアラされる。
【０１２１】
図９は本発明の実施例によるサービス伝送方法５００の概略フローチャートである。該方法は、通信デバイスによって実施され、図９に示すように、該方法５００は、５１０〜５３０を含む。
【０１２２】
５１０において、調整オフセットを確定する。
【０１２３】
５２０において、該調整オフセットに基づいて、第１時間領域の開始位置に対して調整を行い、第２時間領域の開始位置を得、ここで、該第１時間領域の開始位置が、スケジューリング周期を利用して端末デバイスより送信されたサービスデータを受信する予め設定された時間領域の開始位置である。
【０１２４】
５３０において、該第２時間領域の開始位置において、該スケジューリング周期に従って、該端末デバイスより送信された該サービスデータを受信する。
【０１２５】
選択肢として、通信デバイスは、該端末デバイスより送信された指示情報を受信することができ、該指示情報は該調整オフセットの値を指示するために用いられ、端末デバイスは該指示情報に基づいて、該調整オフセットを確定することができる。ここで、該指示情報物理層制御チャネルにベアラされ、例えば、該指示情報は、ＬＴＥ  Ｄ２Ｄ伝送中のスケジューリング指示であっても良く、又は、該指示情報が、物理層チャネルにおけるリザーブビットにベアラされ、例えば、送信するデータ又は制御シグナリングの後ろにｎビット情報をリザーブし、可能な２＾ｎ個の調整オフセットの値を指示し、又は、該指示情報が特定の媒体アクセス制御（ＭＡＣ：Ｍｅｄｉａ  Ａｃｃｅｓｓ  Ｃｏｎｔｒｏｌ）制御ユニット（ＣＥ：Ｃｏｎｔｒｏｌ  Ｅｌｅｍｅｎｔ）にベアラされ、又は、該指示情報が、システムブロードキャストメッセージにベアラされる。
【０１２６】
選択肢として、該通信デバイス（即ち、サービスデータの受信側）は端末デバイスであっても良く、ネットワークデバイス、例えば、基地局であっても良い。
【０１２７】
なお、本発明の実施例において、サービスデータの受信側が端末デバイスであり、ここで、該端末デバイスに対するスケジューリング周期の設定、リソースプールの設定、スケジューリング周期を利用してデータを受信するのに使用する時間領域リソースの設定などは、サービスデータの送信側に関する説明を参照することができる。簡潔上、ここでそれ以上説明しない。
【０１２８】
そのため、本発明の実施例において、データを伝送する時間領域の開始位置に対して調整を行うことによって、異なる端末の間のリソース競合問題を避けることができる。
【０１２９】
なお、本発明の実施例において、一つの端末デバイスにおいて、該端末デバイスで伝送する複数のサービスがリソースの衝突が発生する可能性があり、又は該端末デバイスが別の端末デバイスとリソースの衝突が発生する可能性があり、その場合、該端末デバイスは、方法２００と方法４００を同時に使用することができる。例えば、仮に、該端末デバイスがサービス１とサービス２とを伝送するとした場合、サービス１とサービス２を送信する前に、方法４００に従って、サービス１、及び／又は、サービス２における時間領域の開始位置に対して調整を行うことができ、また、サービス１とサービス２との伝送の過程において、サービス１とサービス２がリソースの衝突が発生した場合、方法２００に従ってサービス１、及び／又は、サービス２のスケジューリング周期を調整することができる。受信側の処理も同様である。
【０１３０】
以上において、図１〜９を結合して本発明の実施例によるサービス伝送方法を説明している。以下において、図１０〜図１７を結合して上記のサービス伝送方法を実現するための装置を説明する。
【０１３１】
図１０は本発明の実施例による端末デバイス６００の概略ブロック図であり、図１０に示すように、該端末デバイス６００は、
調整オフセットを確定するように構成される確定ユニット６１０と、
該調整オフセットに基づいて、該第１スケジューリング周期に対して調整を行い、第２スケジューリング周期を得るように構成される調整ユニット６２０と、
該第２スケジューリング周期に従って、該第１サービスにおけるデータを送信するように構成される送信ユニット６３０と、
を含み、該調整オフセットは、該端末デバイスにおける第１サービスの第１スケジューリング周期に対して調整を行うように用いられる。
【０１３２】
選択肢として、該確定ユニット６１０は、調整オフセットを確定する前に、第１時間領域の送信位置において、該第１サービスにおける第１データが第２サービスにおけるデータとリソース競合が発生することを確定するようにさらに構成される。
【０１３３】
該送信ユニット６３０は、具体的に、該第２スケジューリング周期に基づいて、第２時間領域の送信位置を確定し、該第２時間領域の送信位置において、該第１データを送信するように構成される。
【０１３４】
選択肢として、該確定ユニット６１０は、具体的に、
該第１サービスの該第１サービスと該第２サービスとの間の優先順位に基づいて、該調整オフセットを確定するように構成される。
【０１３５】
選択肢として、該確定ユニット６１０は、第３スケジューリング周期を確定するようにさらに構成され、ここで、該第１スケジューリング周期と該第３スケジューリング周期との差分値が、該第２スケジューリング周期と該第１スケジューリング周期との差分値と等しい。
【０１３６】
該送信ユニット６３０は、該第３スケジューリング周期に従って、該第１サービスにおける第２データを送信するようにさらに構成され、ここで、該第２データが該第１データの後の初回の送信されるデータである。
【０１３７】
選択肢として、該送信ユニット６３０は、
該第２データを送信した後に、該第１スケジューリング周期に従って、該第１サービスにおける第３データを送信するようにさらに構成され、ここで、該第３データが、該第２データの後の送信されるデータである。
【０１３８】
選択肢として、図１０に示すように、該端末デバイス６００は、
ネットワークデバイスにより送信された第１設定情報を受信するように構成される受信ユニット６４０をさらに含み、該第１設定情報が、該調整オフセットの値、及び／又は、該調整オフセット該第１サービスに適用するようを指示するように用いられる。
【０１３９】
選択肢として、図１０に示されている受信ユニット６４０は、ネットワークデバイスにより送信された第２設定情報を受信するように構成されれ、ここで、該第２設定情報が該第１サービスと第２サービスとの優先順位、及び／又は、該調整オフセットの値を指示するよう用いられる。
【０１４０】
選択肢として、図１０に示されている受信ユニット６４０は、ネットワークデバイスにより送信された起動メッセージを受信するように構成され、該起動メッセージは、該端末デバイスが該第１スケジューリング周期に対して調整を行うように起動させるように用いられる。
【０１４１】
選択肢として、該確定ユニット６１０は、第１該時間周波数リソースを利用して該第２スケジューリング周期によって該第１サービスにおけるデータを送信するように、該第２スケジューリング周期によって該第１サービスにおけるデータを送信する第１時間周波数リソースを確定するようにさらに構成され、ここで、該第１時間周波数リソースは、該第２スケジューリング周期によって該第１サービスにおけるデータを送信する周波数領域リソースと、該第２スケジューリング周期に対応するサブフレームにおける時間領域リソースである。
【０１４２】
選択肢として、該確定ユニット６１０は、具体的に、
ネットワークデバイスにより送信された、物理ダウンリンク制御チャネルで指示された時間周波数リソースを該第１時間周波数リソースとして確定し、又は、
リソースプールから該第１時間周波数リソースを選択し、又は、
第２時間周波数リソースを該第１時間周波数リソースとして確定するように構成され、ここで、該第２時間周波数リソースが、該第１スケジューリング周期によって該第１サービスにおけるデータを送信する周波数領域リソースと、該第１スケジューリング周期に対応するサブフレームにおける時間領域リソースである。
【０１４３】
選択肢として、該送信ユニット６３０は、
該第１サービスにおけるデータの受信側に指示情報を送信するようにさらに構成され、該指示情報は、該調整オフセットの値を指示するために用いられ、ここで、
該指示情報が、物理層制御チャネルにベアラされ、又は、
該指示情報が、物理層チャネルにおけるリザーブビットにベアラされ、又は、
該指示情報が、特定の媒体アクセス制御（ＭＡＣ）制御ユニット（ＣＥ）にベアラされ、又は、
該指示情報が、システムブロードキャストメッセージにベアラされる。
【０１４４】
なお、本発明の実施例による端末デバイス６００は、本発明の実施例における方法２００を実施する端末デバイスに対応することができ、端末デバイス６００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１４５】
図１１は本発明の実施例による端末デバイス７００の概略ブロック図である。図１１に示すように、該端末デバイス７００は、
調整オフセットを確定するように構成される確定ユニット７１０と、
該調整オフセットに基づいて、第１時間領域の開始位置に対して調整を行い、第２時間領域の開始位置を得るように構成される調整ユニット７２０と、
該第２時間領域の開始位置において、該スケジューリング周期に従って、該サービスデータを送信するように構成される送信ユニット７３０と、
を含み、ここで、該第１時間領域の開始位置が、スケジューリング周期を利用してサービスデータを送信する予め設定された時間領域の開始位置である。
【０１４６】
選択肢として、該確定ユニット７１０は、具体的に、
値の範囲内から該調整オフセットを確定するように構成され、ここで、該値の範囲に複数の値が含まれる。
【０１４７】
選択肢として、該送信ユニット７３０は、具体的に、
該サービスデータの受信側に指示情報を送信するように構成され、該指示情報が、該調整オフセットの値を指示するように用いられ、ここで、
該指示情報が、物理層制御チャネルにベアラされ、又は、
該指示情報が、物理層チャネルにおけるリザーブビットにベアラされ、又は、
該指示情報が、特定の媒体アクセス制御（ＭＡＣ）制御ユニット（ＣＥ）にベアラされ、又は、
該指示情報が、システムブロードキャストメッセージにベアラされる。
【０１４８】
なお、本発明の実施例による端末デバイス７００は、本発明の実施例における方法４００を実施する端末デバイスに対応することができ、端末デバイス７００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１４９】
図１２は本発明の実施例による通信デバイス８００の概略ブロック図である。図１２に示すように、該通信デバイス８００は、
調整オフセットを確定するように構成される確定ユニット８１０と、
該調整オフセットに基づいて、該第１スケジューリング周期に対して調整を行い、第２スケジューリング周期を得るように構成される調整ユニット８２０と、
該第２スケジューリング周期に従って、該端末デバイスより送信された該第１サービスにおけるデータを受信するように構成される受信ユニット８３０と、
を含み、該調整オフセットは、該端末デバイスにおける第１サービスの第１スケジューリング周期に対して調整を行うように用いられる。
【０１５０】
選択肢として、該受信ユニット８３０は、該確定ユニット８１０が調整オフセットを確定する前に、該端末デバイスより送信された指示情報を受信するようにさらに構成され、該指示情報は、該調整オフセットの値を指示するように用いられ、ここで、
該指示情報が、物理層制御チャネルにベアラされ、又は、
該指示情報が、物理層チャネルにおけるリザーブビットにベアラされ、又は、
該指示情報が、特定の媒体アクセス制御（ＭＡＣ）制御ユニット（ＣＥ）にベアラされ、又は、
該指示情報が、システムブロードキャストメッセージにベアラされ、
該調整オフセットを確定することは、該指示情報に基づいて、該調整オフセットを確定することを含む。
【０１５１】
なお、本発明の実施例による通信デバイス８００は、本発明の実施例における方法３００を実施する通信デバイスに対応することができ、通信デバイス８００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１５２】
図１３は本発明の実施例による通信デバイス９００の概略ブロック図である。図１３に示すように、該通信デバイス９００は、
調整オフセットを確定するように構成される確定ユニット９１０と、
該調整オフセットに基づいて、第１時間領域の開始位置に対して調整を行い、第２時間領域の開始位置を得るように構成される調整ユニット９２０と、
該第２時間領域の開始位置において、該スケジューリング周期に従って、該端末デバイスより送信された該サービスデータを受信するように構成される受信ユニット９３０と、  を含み、ここで、該第１時間領域の開始位置が、スケジューリング周期を利用して端末デバイスより送信されたサービスデータを受信する、予め設定された時間領域の開始位置である。
【０１５３】
選択肢として、該受信ユニット９３０は、該確定ユニット９１０が調整オフセットを確定する前に、該端末デバイスより送信された指示情報を受信するようにさらに構成され、該指示情報が、該調整オフセットの値を示すために用いられ、ここで、
該指示情報が、物理層制御チャネルにベアラされ、又は、
該指示情報が、物理層チャネルにおけるリザーブビットにベアラされ、又は、
該指示情報が、特定の媒体アクセス制御（ＭＡＣ）制御ユニット（ＣＥ）にベアラされ、又は、
該指示情報が、システムブロードキャストメッセージにベアラされ、
該調整オフセットを確定することは、該指示情報に基づいて、該調整オフセットを確定することを含む。
【０１５４】
本発明の実施例における通信デバイス９００は、本発明の実施例における方法４００を実施する通信デバイスに対応することができ、通信デバイス９００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１５５】
図１４は本発明の実施例による端末デバイス１０００の概略ブロック図である。図１４に示すように、該端末デバイス１０００は、プロセッサ１０１０、記憶装置１０２０及び送受信装置１０３０を含み、選択肢として、該端末デバイスは、バスシステム１０４０をさらに含み、該バスシステムは、プロセッサ１０１０、記憶装置１０２０、及び送受信装置１０３０を接続するために用いられる。記憶装置１０２０は、命令を記憶するように構成され、プロセッサ１０１０は、記憶装置１０２０に記憶されている命令を呼び出し、
オフセットを調整し、前記調整オフセットが、前記端末デバイスにおける第１サービスの第１スケジューリング周期を調整するために用いられることと、
前記調整オフセットに基づいて、前記第１スケジューリング周期に対して調整を行い、第２スケジューリング周期を得ることと、
前記第２スケジューリング周期に従って、送受信装置１０３０を利用して前記第１サービスにおけるデータを送信することと、
を実行するように構成される。
【０１５６】
選択肢として、プロセッサ１０１０は、記憶装置１０２０に記憶されている命令を呼び出し、
調整オフセットを確定する前に、第１時間領域の送信位置において、前記第１サービスにおける第１データが第２サービスにおけるデータとリソース競合が発生することを確定することと、第２スケジューリング周期を確定した後に、前記第２スケジューリング周期に基づいて、第２時間領域の送信位置を確定することと、前記第２時間領域の送信位置において、送受信装置１０３０を利用して前記第１データを送信することと、をさらに実行するように構成される。
【０１５７】
選択肢として、プロセッサ１０１０は、記憶装置１０２０に記憶されている命令を呼び出し、前記第１サービスの前記第１サービスと前記第２サービスとの間における優先順位に基づいて、前記調整オフセットを確定すること、をさらに実行するように構成される。
【０１５８】
選択肢として、プロセッサ１０１０は、記憶装置１０２０に記憶されている命令を呼び出し、
第３スケジューリング周期を確定することと、
前記第３スケジューリング周期に従って、送受信装置１０３０を利用して前記第１サービスにおける第２データを送信することと、
をさらに実行するように構成され、ここで、前記第１スケジューリング周期と前記第３スケジューリング周期との差分値が、前記第２スケジューリング周期と前記第１スケジューリング周期との差分値と等しく、前記第２データが前記第１データの後の初回の送信されるデータである。
【０１５９】
選択肢として、プロセッサ１０１０は、記憶装置１０２０に記憶されている命令を呼び出し、送受信装置１０３０を利用して前記第２データを送信した後に、前記第１スケジューリング周期を従って、送受信装置１０３０を利用して、前記第１サービスにおける第３データを送信すること、
をさらに実行するように構成され、ここで、前記第３データが、前記第２データの後に送信されたデータである。
【０１６０】
選択肢として、プロセッサ１０１０は、記憶装置１０２０に記憶されている命令を呼び出し、送受信装置１０３０を利用してネットワークデバイスにより送信された第１設定情報を受信すること、
をさらに実行するように構成され、前記第１設定情報が、前記調整オフセットの値、及び／又は、前記調整オフセットが前記第１サービスに適用することを指示するために用いられる。
【０１６１】
選択肢として、プロセッサ１０１０は、記憶装置１０２０に記憶されている命令を呼び出し、送受信装置１０３０を利用してネットワークデバイスにより送信された第２設定情報を受信することと、
をさらに実行するように構成され、ここで、前記第２設定情報が、前記第１サービスと第２サービスとの優先順位、及び／又は、前記調整オフセットの値を指示するために用いられる。
【０１６２】
選択肢として、プロセッサ１０１０は、記憶装置１０２０に記憶されている命令を呼び出し、送受信装置１０３０を利用してネットワークデバイスにより送信された起動メッセージを受信すること、
をさらに実行するように構成され、前記起動メッセージが、前記端末デバイスが前記第１スケジューリング周期を調整するように起動させるために用いられる。
【０１６３】
選択肢として、プロセッサ１０１０は、記憶装置１０２０に記憶されている命令を呼び出し、第１時間時間周波数リソースを利用して、前記第２スケジューリング周期によって前記第１サービスにおけるデータを送信するように、前記第２スケジューリング周期によって前記第１サービスにおけるデータを送信する第１時間周波数リソースを確定すること、
をさらに実行するように構成され、ここで、前記第１時間周波数リソースが、前記第２スケジューリング周期によって、前記第１サービスにおけるデータを送信する周波数領域リソースと前記第２スケジューリング周期に対応するサブフレームにおける時間領域リソースである。
【０１６４】
選択肢として、プロセッサ１０１０は、記憶装置１０２０に記憶されている命令を呼び出し、ネットワークデバイスにより送信された、物理ダウンリンク制御チャネルで指示された時間周波数リソースを用の前記第１時間周波数リソースとして確定すること、又は、  リソースプールから前記第１時間周波数リソースを選択すること、又は、
第２時間周波数リソースを前記第１時間周波数リソースとして確定すること、
をさらに実行するように構成され、ここで、前記第２時間周波数リソースが、前記第１スケジューリング周期によって前記第１サービスにおけるデータを送信する周波数領域リソースと、前記第１スケジューリング周期に対応するサブフレームにおける時間領域リソースである。
【０１６５】
選択肢として、プロセッサ１０１０は、記憶装置１０２０に記憶されている命令を呼び出し、送受信装置１０３０を利用して前記第１サービスにおけるデータの受信側に指示情報を送信すること、をさらに実行するように構成され、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御（ＭＡＣ）制御ユニット（ＣＥ）にベアラされ、又は、
前記指示情報が、システムブロードキャストメッセージにベアラされる。
【０１６６】
なお、本発明の実施例による端末デバイス１０００は、本発明の実施例における方法２００を実施する端末デバイスに対応することができ、端末デバイス１０００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１６７】
図１５は本発明の実施例による端末デバイス１１００の概略ブロック図である。図１５に示すように、該端末デバイス１１００は、プロセッサ１１１０、記憶装置１１２０及び送受信装置１１３０を含み、選択肢として、該端末デバイスは、バスシステム１１４０をさらに含み、該バスシステムは、プロセッサ１１１０、記憶装置１１２０及び送受信装置１１３０を接続するために用いられる。記憶装置１１２０は、命令を記憶するに用いられ、プロセッサ１１１０は、記憶装置１１２０に記憶されている命令を呼び出し、
調整オフセットを確定することと、
前記調整オフセットに基づいて、第１時間領域の開始位置に対して調整を行い、第２時間領域の開始位置を得ることと、
前記第２時間領域の開始位置において、前記スケジューリング周期に従って、送受信装置１１３０を利用して前記サービスデータを送信する。
【０１６８】
を実行するように構成され、ここで、前記第１時間領域の開始位置が、スケジューリング周期を利用してサービスデータを送信する、予め設定された時間領域の開始位置である。
【０１６９】
選択肢として、プロセッサ１１１０は、記憶装置１１２０に記憶されている命令を呼び出し、値の範囲内から前記調整オフセットを確定することをさらに実行するように構成され、ここで、前記値の範囲に複数の値が含まれる。
【０１７０】
選択肢として、プロセッサ１１１０は、記憶装置１１２０に記憶されている命令を呼び出し、送受信装置１１３０を利用して前記サービスデータの受信側に指示情報を送信することをさらに実行するように構成され、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御（ＭＡＣ）制御ユニット（ＣＥ）にベアラされ、又は、
前記指示情報が、システムブロードキャストメッセージにベアラされる。
【０１７１】
なお、本発明の実施例による端末デバイス１１００は、本発明の実施例における方法４００を実施する端末デバイスに対応することができ、端末デバイス１１００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１７２】
図１６は本発明の実施例による端末デバイス１２００の概略ブロック図である。図１６に示すように、該端末デバイス１２００は、プロセッサ１２１０、記憶装置１２２０及び送受信装置１２３０を含み、選択肢として、該端末デバイスは、バスシステム１２４０をさらに含み、該バスシステムは、プロセッサ１２１０、記憶装置１２２０及び送受信装置１２３０を接続するように構成される。記憶装置１２２０は、命令を記憶するように構成され、プロセッサ１２１０は、記憶装置１２２０に記憶されている命令を呼び出して
調整オフセットを確定することと、
前記調整オフセットに基づいて、前記第１スケジューリング周期に対して調整を行い、第２スケジューリング周期を得ることと、
前記第２スケジューリング周期に従って、送受信装置１２３０を利用して前記端末デバイスより送信された前記第１サービスにおけるデータを受信することと、
を実行するように構成され、前記調整オフセットが、前記端末デバイスにおける第１サービスの第１スケジューリング周期を調整するために用いられる。
【０１７３】
選択肢として、プロセッサ１２１０は、記憶装置１２２０に記憶されている命令を呼び出し、送受信装置１２３０を利用して前記端末デバイスより送信された指示情報を受信することをさらに実行するように構成され、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御（ＭＡＣ）制御ユニット（ＣＥ）にベアラされ、又は、
前記指示情報が、システムブロードキャストメッセージにベアラされ、
前記調整オフセットを確定することは、前記指示情報に基づいて、前記調整オフセットを確定することを含む。
【０１７４】
なお、本発明の実施例による通信デバイス１２００は、本発明の実施例における方法３００を実施する通信デバイスに対応することができ、通信デバイス１２００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１７５】
図１７は本発明の実施例による端末デバイス１３００の概略ブロック図である。図１７に示すように、該端末デバイス１３００は、プロセッサ１３１０、記憶装置１３２０及び送受信装置１３３０を含み、選択肢として、該端末デバイスは、バスシステム１３４０をさらに含み、該バスシステムは、プロセッサ１３１０、記憶装置１３２０及び送受信装置１３３０を接続するために構成される。記憶装置１３２０は、命令を記憶するように構成され、プロセッサ１３１０は、記憶装置１３２０に記憶されている命令を呼び出し、
調整オフセットを確定することと、
前記調整オフセットに基づいて、第１時間領域の開始位置に対して調整を行い、第２時間領域の開始位置を得ることと、
前記第２時間領域の開始位置において、前記スケジューリング周期に従って、送受信装置１３３０を利用して前記端末デバイスより送信された前記サービスデータを受信することと、
を実行するように構成され、ここで、前記第１時間領域の開始位置が、スケジューリング周期を利用して端末デバイスより送信されたサービスデータを受信する予め設定された時間領域の開始位置である。
【０１７６】
選択肢として、プロセッサ１３１０は、記憶装置１３２０に記憶されている命令を呼び出し、前記端末デバイスより送信された指示情報を受信することを実行するように構成され、前記指示情報は、前記調整オフセットの値を示すために用いられ、ここで、
前記指示情報が、物理層制御チャネルにベアラされ、又は、
前記指示情報が、物理層チャネルにおけるリザーブビットにベアラされ、又は、
前記指示情報が、特定の媒体アクセス制御（ＭＡＣ）制御ユニット（ＣＥ）にベアラされ、又は、
前記指示情報が、システムブロードキャストメッセージにベアラされ、
前記調整オフセットを確定することは、前記指示情報に基づいて、前記調整オフセットを確定することを含む。
【０１７７】
なお、本発明の実施例による通信デバイス１３００は、本発明の実施例における方法５００を実施する通信デバイスに対応することができ、通信デバイス１３００内の各々のユニットの上記の操作、及び／又は、機能は、上記の方法実施例における端末デバイスに対応する各フロー、及び／又は、ステップを実施するように用いられることができ、重複を避けるために、ここでそれ以上説明しない。
【０１７８】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１７９】
当業者は、説明の便利と簡潔上、上記に記載されているシステム、装置及びユニットの具体的な動作については、上記の方法実施例の対応されているフローを参照することができ、ここでそれ以上述べない。
【０１８０】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１８１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１８２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１８３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１８４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020162163.tif 000003
【図２】
2020162163.tif 000004
【図３】
2020162163.tif 000005
【図４】
2020162163.tif 000006
【図５】
2020162163.tif 000007
【図６】
2020162163.tif 000008
【図７】
2020162163.tif 000009
【図８】
2020162163.tif 000010
【図９】
2020162163.tif 000011
【図１０】
2020162163.tif 000012
【図１１】
2020162163.tif 000013
【図１２】
2020162163.tif 000014
【図１３】
2020162163.tif 000015
【図１４】
2020162163.tif 000016
【図１５】
2020162163.tif 000017
【図１６】
2020162163.tif 000018
【図１７】
2020162163.tif 000019